(57)【特許請求の範囲】
【請求項１】
撮影パラメータ設定システムであって、
画像の撮影を行う撮影装置と、
所定の撮影パラメータの値を特定するための撮影情報を前記撮影装置に提供する撮影情報提供装置と、を備え、
前記撮影情報提供装置は、
時間的範囲および地理的範囲の組み合わせと撮影機会とを対応付ける対応情報と、時間的範囲および地理的範囲により定義される撮影機会に対応付けて予め設定された撮影情報と、を格納する撮影情報格納部と、
前記撮影情報格納部に格納された撮影情報を送信する撮影情報送信部と、を含み、
前記撮影装置は、
前記撮影情報送信部により送信された撮影情報を受信する撮影情報受信部と、
受信された撮影情報に基づき、前記撮影機会における撮影に用いる前記所定の撮影パラメータの値を設定する撮影パラメータ設定部と、を含み、
前記撮影情報格納部は、複数の撮影機会に対応付けられた複数の撮影情報を格納し、
前記撮影装置は、さらに、
前記撮影装置による撮影が行われる撮影機会を特定する撮影機会情報を前記撮影情報提供装置に送信する撮影機会情報送信部と、
前記撮影装置の現在の位置を特定する位置情報を取得する位置情報取得部と、
現在時刻を特定する時間情報を取得する時間情報取得部と、を含み、
前記撮影機会情報は、前記位置情報および前記時間情報を含み、
前記撮影情報提供装置は、さらに、
前記撮影機会情報送信部により送信された撮影機会情報を受信する撮影機会情報受信部と、
受信された撮影機会情報に含まれる前記位置情報および前記時間情報と前記対応情報とに基づき、前記撮影装置による撮影が行われる撮影機会を特定すると共に、前記特定された撮影機会に対応付けられた撮影情報を、前記撮影装置に対して送信すべき撮影情報として特定する撮影情報特定部と、を含む、撮影パラメータ設定システム。
【請求項２】
請求項１記載の撮影パラメータ設定システムであって、
前記撮影情報送信部は、前記撮影機会の時間的範囲内のみにおいて、前記撮影機会の地理的範囲内のみに到達するように、撮影情報を送信する、撮影パラメータ設定システム。
【請求項３】
請求項１または請求項２に記載の撮影パラメータ設定システムであって、
前記撮影情報送信部が送信する撮影情報は、前記撮影機会における撮影状況が予め設定された複数の撮影状況の分類の内のいずれに該当するかを示す撮影状況特定情報であり、
前記撮影パラメータ設定部は、前記複数の撮影状況の分類と前記所定の撮影パラメータの値との対応を定義する対応情報を含む、撮影パラメータ設定システム。
【請求項４】
請求項３記載の撮影パラメータ設定システムであって、
前記撮影装置は、さらに、
撮影により生成された画像を表す画像ファイルに前記撮影状況特定情報を付加する撮影状況特定情報付加部を含む、撮影パラメータ設定システム。
【請求項５】
請求項１ないし請求項４のいずれかに記載の撮影パラメータ設定システムであって、
前記撮影装置は、さらに、
前記撮影機会における撮影が終了したか否かを判定する判定部を含み、
前記撮影パラメータ設定部は、前記判定部により前記撮影機会における撮影が終了したと判定された場合には、撮影情報に基づいた前記所定の撮影パラメータの値の設定を解除する、撮影パラメータ設定システム。
【請求項６】
撮影パラメータ設定方法であって、
（ａ）撮影情報提供装置が、時間的範囲および地理的範囲の組み合わせと撮影機会とを対応付ける対応情報と、時間的範囲および地理的範囲により定義される撮影機会に対応付けて予め設定された、所定の撮影パラメータの値を特定するための撮影情報を、所定の記憶領域に格納する工程と、
（ｂ）前記撮影情報提供装置が、前記記憶領域に格納された撮影情報を送信する工程と、
（ｃ）画像の撮影を行う撮影装置が、送信された撮影情報を受信する工程と、
（ｄ）前記撮影装置が、受信された撮影情報に基づき、前記撮影機会における撮影に用いる前記所定の撮影パラメータの値を設定する工程と、を備え、
前記撮影情報を格納する工程（ａ）は、複数の撮影機会に対応付けられた複数の撮影情報を格納する工程であり、
前記撮影パラメータ設定方法は、さらに、
前記撮影装置が、前記撮影装置による撮影が行われる撮影機会を特定する撮影機会情報を前記撮影情報提供装置に送信する工程と、
前記撮影装置が、前記撮影装置の現在の位置を特定する位置情報を取得する工程と、
前記撮影装置が、現在時刻を特定する時間情報を取得する工程と、を備え、
前記撮影機会情報は、前記位置情報および前記時間情報を含み、
前記撮影パラメータ設定方法は、さらに、
前記撮影情報提供装置が、送信された撮影機会情報を受信する工程と、
前記撮影情報提供装置が、撮影機会情報に含まれる前記位置情報および前記時間情報と前記対応情報とに基づき、前記撮影装置による撮影が行われる撮影機会を特定すると共に、前記特定された撮影機会に対応付けられた撮影情報を、前記撮影装置に対して送信すべき撮影情報として特定する工程と、を備える、撮影パラメータ設定方法。
【請求項７】
画像の撮影を行う撮影装置であって、
時間的範囲および地理的範囲により定義される撮影機会に対応付けられた、所定の撮影パラメータの値を特定するための撮影情報を撮影情報提供装置から受信する撮影情報受信部と、
受信された撮影情報に基づき、前記撮影機会における撮影に用いる前記所定の撮影パラメータの値を設定する撮影パラメータ設定部と、を備え、
前記撮影情報提供装置は、時間的範囲および地理的範囲の組み合わせと撮影機会とを対応付ける対応情報と、複数の撮影機会に対応付けて予め設定された複数の撮影情報を格納し、
前記撮影装置は、さらに、
前記撮影装置による撮影が行われる撮影機会を特定する撮影機会情報を前記撮影情報提供装置に送信する撮影機会情報送信部と、
前記撮影装置の現在の位置を特定する位置情報を取得する位置情報取得部と、
現在時刻を特定する時間情報を取得する時間情報取得部と、を含み、
前記撮影機会情報は、前記位置情報および前記時間情報を含み、
前記撮影情報提供装置は、
前記撮影機会情報送信部により送信された撮影機会情報を受信する撮影機会情報受信部と、
受信された撮影機会情報に含まれる前記位置情報および前記時間情報と前記対応情報とに基づき、前記撮影装置による撮影が行われる撮影機会を特定すると共に、前記特定された撮影機会に対応付けられた撮影情報を、前記撮影装置に対して送信すべき撮影情報として特定する撮影情報特定部と、を含む、撮影装置。
【発明の詳細な説明】
【技術分野】
【０００１】
本発明は、撮影装置において最適な撮影パラメータ値を設定する技術に関する。
【背景技術】
【０００２】
近年、撮像素子を用いて被写体を撮影することにより被写体の画像を表す画像データを生成するデジタルスチルカメラ（以下「ＤＳＣ」とも呼ぶ）が広く普及している。一般に、ＤＳＣでは、シャッタースピードや絞りといった種々の撮影パラメータの値を調整することができる。ＤＳＣによる撮影の際には、その撮影状況（例えば人物を撮影する撮影状況や紅葉を撮影する撮影状況）に適した撮影パラメータの値を設定することにより、より好ましい画像を得ることが可能となる。ここで、撮影状況は、撮影シーンや被写体とも言い換えることが可能である。
【０００３】
従来、ＤＳＣにおいて、スケジュール設定を利用することにより撮影状況に適した撮影パラメータ値を自動的に設定する技術が知られている（例えば特許文献１）。また、ＤＳＣにおいて、仮の画像（テンポラリ画像）を生成し、テンポラリ画像を解析することによって撮影状況を判定し、当該撮影状況に適した撮影パラメータ値を自動的に設定する技術が知られている（例えば特許文献２）。
【０００４】
【特許文献１】特開２００５−９１６５９
【特許文献２】特開２００２−１０１３５
【発明の開示】
【発明が解決しようとする課題】
【０００５】
上記特許文献１記載の従来技術では、ユーザが予めスケジュール設定を行う必要があり、ユーザの負担が大きいという問題があった。また、例えば、予め設定されたスケジュール内容に変更があった場合には、撮影状況には適さない撮影パラメータ値が設定されてしまう恐れがあり、ユーザの利便性に向上の余地があった。
【０００６】
また、上記特許文献２記載の従来技術では、テンポラリ画像の解析により撮影状況が判定されるため、撮影状況が適切に判定されない場合があり、最適な撮影パラメータ値が設定されない場合があるという問題があった。
【０００７】
なお、このような問題は、ＤＳＣに限らず、撮影装置一般に撮影パラメータ値を設定する際に共通の問題であった。
【０００８】
本発明は、上述した従来の課題を解決するためになされたものであり、撮影装置において、撮影パラメータ値を、より容易に、かつ、より適切に、設定することを可能とする技術を提供することを目的とする。
【課題を解決するための手段】
【０００９】
上記課題の少なくとも一部を解決するために、本発明の撮影パラメータ設定システムは、
画像の撮影を行う撮影装置と、
所定の撮影パラメータの値を特定するための撮影情報を前記撮影装置に提供する撮影情報提供装置と、を備え、
前記撮影情報提供装置は、
時間的範囲および地理的範囲により定義される撮影機会に対応付けられた撮影情報を格納する撮影情報格納部と、
前記撮影情報格納部に格納された撮影情報を送信する撮影情報送信部と、を含み、
前記撮影装置は、
前記撮影情報送信部により送信された撮影情報を受信する撮影情報受信部と、
受信された撮影情報に基づき、前記撮影機会における撮影に用いる前記所定の撮影パラメータの値を設定する撮影パラメータ設定部と、を含む。
【００１０】
この撮影パラメータ設定システムでは、撮影情報提供装置の撮影情報送信部から撮影機会に対応付けられた撮影情報が送信され、撮影装置の撮影情報受信部により撮影情報が受信される。また、撮影装置の撮影パラメータ設定部により、受信された撮影情報に基づく撮影機会における撮影に用いる所定の撮影パラメータ値の設定が行われる。そのため、この撮影パラメータ設定システムでは、撮影装置において、撮影パラメータ値を、より容易に、かつ、より適切に、設定することができる。
【００１１】
上記撮影パラメータ設定システムにおいて、
前記撮影情報送信部は、前記撮影機会の時間的範囲内のみにおいて、前記撮影機会の地理的範囲内のみに到達するように、撮影情報を送信するとしてもよい。
【００１２】
このようにすれば、撮影情報が、撮影機会の時間的範囲内に撮影機会の地理的範囲内に位置する撮影装置のみに受信されるため、撮影機会における撮影に用いられる撮影装置のみに対して、撮影パラメータ値を設定することができる。
【００１３】
また、上記撮影パラメータ設定システムにおいて、
前記撮影情報格納部は、複数の撮影機会に対応付けられた複数の撮影情報を格納し、
前記撮影装置は、さらに、
前記撮影装置による撮影が行われる撮影機会を特定する撮影機会情報を前記撮影情報提供装置に送信する撮影機会情報送信部を含み、
前記撮影情報提供装置は、さらに、
前記撮影機会情報送信部により送信された撮影機会情報を受信する撮影機会情報受信部と、
受信された撮影機会情報に基づき、前記撮影装置による撮影が行われる撮影機会を特定すると共に、前記撮影装置に対して送信すべき撮影情報を特定する撮影情報特定部と、を含むとしてもよい。
【００１４】
このようにすれば、撮影情報提供装置の配置が撮影機会の地理的範囲とは独立して設定可能となると共に、撮影情報提供装置による撮影情報の送信が行われる時間も、撮影機会の時間的範囲とは独立して設定可能となる。また、１つの撮影情報提供装置を、複数の撮影機会における撮影の際の撮影パラメータ値設定のために共通に利用することができる。
【００１５】
また、上記撮影パラメータ設定システムにおいて、
前記撮影装置は、さらに、
前記撮影装置の現在の位置を特定する位置情報を取得する位置情報取得部と、
現在時刻を特定する時間情報を取得する時間情報取得部と、を含み、
前記撮影機会情報は、前記位置情報および前記時間情報を含むとしてもよい。
【００１６】
このようにすれば、撮影情報提供装置が、撮影装置による撮影が行われる撮影機会を容易に特定することができる。
【００１７】
また、上記撮影パラメータ設定システムにおいて、
前記撮影情報送信部が送信する撮影情報は、前記撮影機会における撮影状況が、予め設定された複数の撮影状況の分類の内のいずれに該当するかを示す撮影状況特定情報であり、
前記撮影パラメータ設定部は、前記複数の撮影状況の分類と前記所定の撮影パラメータの値との対応を定義する対応情報を含むとしてもよい。
【００１８】
このようにすれば、撮影情報提供装置と撮影装置との間で通信される情報量を低減することができ、通信負荷の低減や処理の高速化を図ることができる。
【００１９】
また、上記撮影パラメータ設定システムにおいて、
前記撮影装置は、さらに、
撮影により生成された画像を表す画像ファイルに前記撮影状況特定情報を付加する撮影状況特定情報付加部を含むとしてもよい。
【００２０】
このようにすれば、撮影装置による撮影後における画像の検索等に、画像ファイルに付加された撮影状況特定情報を利用することができる。
【００２１】
また、上記撮影パラメータ設定システムにおいて、
前記撮影装置は、さらに、
前記撮影機会における撮影が終了したか否かを判定する判定部を含み、
前記撮影パラメータ設定部は、前記判定部により前記撮影機会における撮影が終了したと判定された場合には、撮影情報に基づいた前記所定の撮影パラメータの値の設定を解除するとしてもよい。
【００２２】
このようにすれば、撮影機会における撮影終了後において、撮影情報に基づいた所定の撮影パラメータ値の設定の解除を、より容易に、かつ、より確実に、実行することができる。
【００２３】
また、上記課題の少なくとも一部を解決するために、本発明の撮影装置は、
画像の撮影を行う撮影装置であって、
所定の撮影パラメータの値を特定するための撮影情報を受信する撮影情報受信部と、
受信された撮影情報に基づき、撮影に用いる前記所定の撮影パラメータの値を設定する撮影パラメータ設定部と、を備える。
【００２４】
この撮影装置では、所定の撮影パラメータの値を特定するための撮影情報が受信され、受信された撮影情報に基づく所定の撮影パラメータ値の設定が行われる。そのため、この撮影装置では、撮影パラメータ値を、より容易に、かつ、より適切に、設定することができる。
【００２５】
なお、本発明は、種々の態様で実現することが可能であり、例えば、撮影パラメータ設定方法およびシステムもしくは装置、撮影方法およびシステムもしくは装置、画像生成方法およびシステムもしくは装置、画像補正方法およびシステムもしくは装置、これらの方法、システムまたは装置の機能を実現するためのコンピュータプログラム、そのコンピュータプログラムを記録した記録媒体、そのコンピュータプログラムを含み搬送波内に具現化されたデータ信号、等の形態で実現することができる。
【発明を実施するための最良の形態】
【００２６】
次に、本発明の実施の形態を実施例に基づいて以下の順序で説明する。
Ａ．第１実施例：
Ｂ．第２実施例：
Ｃ．変形例：
【００２７】
Ａ．第１実施例：
図１は、本発明の第１実施例としての撮影パラメータ設定システム１０の構成を概略的に示す説明図である。第１実施例の撮影パラメータ設定システム１０は、デジタルスチルカメラ（以下「ＤＳＣ」とも呼ぶ）１００と、撮影情報提供装置２００と、を備えている。
【００２８】
ＤＳＣ１００は、撮像素子を用いて被写体を撮影することにより被写体の画像を表す画像データを生成する撮影装置である。ＤＳＣ１００は、レンズ１０２と、レンズ１０２を駆動して焦点距離を調整するレンズ駆動部１０４と、レンズ駆動部１０４を制御するレンズ駆動制御部１０６と、レンズ１０２を介して受光面に入力された光を電気信号に変換する撮像素子１０８と、撮像素子１０８から出力された電気信号に対するＡ／Ｄ変換を行うＡ／Ｄ変換器１１０と、画像や各種設定情報を表示する表示部１１２と、ユーザ操作のためのボタンやタッチパネル等の操作部１１４と、ＤＳＣ１００の各部を制御するＣＰＵ１２０と、撮影情報提供装置２００から後述する撮影情報を受信する受信部１２２と、内部メモリ１４０と、を備えている。ＤＳＣ１００の各構成要素は、バス１３０を介して互いに接続されている。
【００２９】
本実施例では、撮像素子１０８としてＣＣＤ（Ｃｈａｒｇｅ  Ｃｏｕｐｌｅｄ  Ｄｅｖｉｃｅ（電荷結合素子））が用いられる。また、本実施例では、表示部１１２として、液晶モニタが用いられる。ＤＳＣ１００による撮影時には、表示部１１２としての液晶モニタに被写体の画像が表示される。なお、本明細書において、「被写体」とは、画像の全体にわたって撮像される人、物、景色といった撮像対象を意味している。
【００３０】
ＤＳＣ１００の内部メモリ１４０には、画像生成制御部１４２と、通信制御部１４８と、が格納されている。画像生成制御部１４２は、所定のオペレーティングシステムの下で、被写体の撮像やデータのＡ／Ｄ変換、ホワイトバランス処理といった画像撮影・生成のための種々の処理を制御するためのコンピュータプログラムである。ＣＰＵ１２０は、内部メモリ１４０から、画像生成制御部１４２を読み出して実行することにより、画像の撮影・生成を実現する。
【００３１】
また、通信制御部１４８は、受信部１２２を制御して、外部（例えば撮影情報提供装置２００）から送信された情報（信号）を受信するためのコンピュータプログラムである。ＣＰＵ１２０は、内部メモリ１４０から、通信制御部１４８を読み出して実行することにより、情報の受信を実現する。なお、通信制御部１４８、ＣＰＵ１２０および受信部１２２は、本発明における撮影情報受信部に相当する。
【００３２】
画像生成制御部１４２は、プログラムモジュールとして、撮影パラメータ設定部１４４と、判定部１４６と、を含んでいる。これらの各部の機能については、後述の撮影パラメータ値設定処理の説明において説明する。画像生成制御部１４２は、また、撮影時パラメータ値情報ＰＶを含んでいる。撮影時パラメータ値情報ＰＶは、ＤＳＣ１００が撮影の際に用いる各種撮影パラメータの値を特定する情報である。撮影時パラメータ値情報ＰＶについては、後に説明する。
【００３３】
撮影情報提供装置２００は、ＤＳＣ１００に対して、最適な撮影パラメータ値を特定するための撮影情報を提供するサーバ装置である。撮影情報提供装置２００は、撮影情報提供装置２００の各部を制御するＣＰＵ２２０と、ＤＳＣ１００に対して撮影情報を送信する送信部２２４と、内部メモリ２４０と、を備えている。なお、撮影情報提供装置２００は、図示しない表示部や操作部を備えていてもよい。撮影情報提供装置２００の各構成要素は、バス２３０を介して互いに接続されている。
【００３４】
撮影情報提供装置２００の内部メモリ２４０には、通信制御部２４８と、最適パラメータ値情報ＯＶと、が格納されている。通信制御部２４８は、送信部２２４を制御して、外部（例えばＤＳＣ１００）に対して情報（信号）を送信するためのコンピュータプログラムである。ＣＰＵ２２０は、内部メモリ２４０から、通信制御部２４８を読み出して実行することにより、情報の送信を実現する。なお、通信制御部２４８、ＣＰＵ２２０および送信部２２４は、本発明における撮影情報送信部に相当する。
【００３５】
また、撮影情報提供装置２００の内部メモリ２４０に格納された最適パラメータ値情報ＯＶは、ＤＳＣ１００における各種撮影パラメータのそれぞれについて、所定の撮影機会における撮影に用いるのに最適なパラメータ値を示した情報である。ここで、撮影機会とは、特定の時間的範囲および特定の地理的範囲における行事または状態を意味している。本明細書では、撮影機会を「イベント」とも呼ぶものとする。イベント（撮影機会）の例としては、各種スポーツの練習や試合、花や紅葉などの見頃の時期における催し、コンサート、観光地の展示物等が挙げられる。なお、本明細書においては、「時間的範囲」の語が、期限のない連続した時間の範囲を意味する場合もある。内部メモリ２４０は、本発明における撮影情報格納部に相当する。
【００３６】
図２は、最適パラメータ値情報ＯＶの内容の一例を示す説明図である。図２に示すように、最適パラメータ値情報ＯＶには、「シャッタースピード」や「絞り」といった撮影パラメータのそれぞれについて、パラメータ値が示されている。最適パラメータ値情報ＯＶは、例えば、イベント主催者やイベントの会場管理者、情報提供サービス会社により予め設定され、撮影情報提供装置２００の内部メモリ２４０に格納される。
【００３７】
なお、ＤＳＣ１００の内部メモリ１４０に格納された撮影時パラメータ値情報ＰＶ（図１）の内容も、図２に示した最適パラメータ値情報ＯＶと同様に、各種撮影パラメータのそれぞれについてパラメータ値を示す内容となっている。撮影時パラメータ値情報ＰＶに示されたパラメータ値は、ＤＳＣ１００による実際の撮影の際に用いられる。本実施例では、初期状態においては、撮影時パラメータ値情報ＰＶに標準のパラメータ値が示されているものとする。
【００３８】
図３は、第１実施例の撮影パラメータ設定システム１０における撮影パラメータ値設定処理の流れを示すフローチャートである。また、図４は、第１実施例の撮影パラメータ設定システム１０における撮影パラメータ値設定処理の概要を示す説明図である。撮影パラメータ設定システム１０（図１）における撮影パラメータ値設定処理は、ＤＳＣ１００において最適な撮影パラメータ値を設定する処理である。
【００３９】
本実施例では、ＤＳＣ１００による撮影が、所定のイベントが開催されているイベント会場において行われるものとしている。図４（ａ）には、ＤＳＣ１００による撮影が行われるイベント会場を示している。図４（ａ）に示すように、本実施例では、撮影情報提供装置２００は、イベント会場内に配置されている。
【００４０】
ステップＳ１１０（図３）では、撮影情報提供装置２００の通信制御部２４８（図１）が、送信部２２４を制御して、最適パラメータ値情報ＯＶまたは解除信号ＣＳを送信する。ここで、最適パラメータ値情報ＯＶは、最適な撮影パラメータ値を特定するための撮影情報に相当する。また、解除信号ＣＳは、後述するように、ＤＳＣ１００に対して最適パラメータ値情報ＯＶに基づいた撮影パラメータ値の設定を解除するよう要求する信号である。
【００４１】
撮影情報提供装置２００の通信制御部２４８による最適パラメータ値情報ＯＶまたは解除信号ＣＳ（以下、まとめて「提供情報」とも呼ぶ）の送信は、提供情報が所定の地理的範囲内のみに到達するように実行される（図４（ａ）参照）。ここで、所定の地理的範囲は、イベント中に撮影を行うＤＳＣ１００が位置することが想定される地理的範囲として設定される。以降の説明では、この所定の地理的範囲を提供情報送信範囲とも呼ぶ。提供情報送信範囲は、イベント会場全体にわたる範囲であってもよく、また、イベント会場の一部の範囲であってもよい。
【００４２】
また、撮影情報提供装置２００の通信制御部２４８は、イベントの開始から終了までの期間（時間的範囲）においては最適パラメータ値情報ＯＶを送信し続ける（図４（ａ）参照）。一方、通信制御部２４８は、イベントの終了から所定の時間が経過するまでの期間においては解除信号ＣＳを送信し続ける（図４（ｄ）参照）。イベントの終了から所定時間が経過した後は、撮影情報提供装置２００の通信制御部２４８による提供情報の送信は終了する。
【００４３】
ステップＳ１２０（図３）では、ＤＳＣ１００の通信制御部１４８（図１）が、受信処理を行う。受信処理は、受信部１２２（図１）を制御して、撮影情報提供装置２００から送信された受信可能な提供情報を受信しようとする処理である。本実施例では、通信制御部１４８による受信処理は、所定時間経過毎に繰り返し実行される。なお、通信制御部１４８による受信処理が、ユーザによるＤＳＣ１００の電源ＯＮ操作時や電源ＯＦＦ操作時にも実行されるとしてもよい。
【００４４】
ステップＳ１３０（図３）では、ＤＳＣ１００の判定部１４６（図１）が、ステップＳ１２０の受信処理において提供情報が受信されたか否かを判定する。例えば、撮影情報提供装置２００が提供情報を送信している期間にＤＳＣ１００が提供情報送信範囲内に位置している場合は、ステップＳ１２０の受信処理において提供情報が受信される。受信処理において提供情報が受信された場合には、処理はステップＳ１４０に進む。図４（ｂ）は、提供情報送信範囲内に位置するＤＳＣ１００が提供情報（最適パラメータ値情報ＯＶ）を受信している様子を示している。なお、受信された提供情報は、内部メモリ１４０内の所定の領域に格納される。一方、ＤＳＣ１００が提供情報送信範囲の外に位置している場合は、受信処理において提供情報が受信されない。受信処理において提供情報が受信されなかった場合には、処理はステップＳ２００に進む。
【００４５】
ステップＳ１４０（図３）では、ＤＳＣ１００の判定部１４６（図１）が、ステップＳ１２０の受信処理において受信された提供情報が最適パラメータ値情報ＯＶであるか解除信号ＣＳであるかを判定する。受信された提供情報が最適パラメータ値情報ＯＶであると判定された場合には、処理はステップＳ１５０に進む。一方、受信された提供情報が解除信号ＣＳであると判定された場合には、処理はステップＳ２００に進む。
【００４６】
ステップＳ１５０（図３）では、ＤＳＣ１００の判定部１４６（図１）が、ステップＳ１２０の受信処理において受信された最適パラメータ値情報ＯＶ（図２）に示されたパラメータ値が、現在、撮影に用いるものとして設定されているパラメータ値（すなわち撮影時パラメータ値情報ＰＶ（図１）に示されたパラメータ値）と同じか否かを判定する。同じであると判定された場合には、撮影時パラメータ値情報ＰＶを更新する必要は無いため、処理はステップＳ１１０に戻る。一方、同じではないと判定された場合には、処理はステップＳ１６０に進む。
【００４７】
ステップＳ１６０（図３）では、ＤＳＣ１００の判定部１４６（図１）が、現在、ＤＳＣ１００の状態が自動設定モードであるか否かを判定する。ここで、自動設定モードとは、ＤＳＣ１００が最適パラメータ値情報ＯＶを受信した際に、自動的に最適パラメータ値情報ＯＶに基づいて撮影時パラメータ値情報ＰＶの更新設定を行うモードである。ユーザは、操作部１１４（図１）を介して、自動設定モードのＯＮ／ＯＦＦ設定を指示することができる。自動設定モードであると判定された場合には、処理はステップＳ１９０に進む。一方、自動設定モードではないと判定された場合には、処理はステップＳ１７０に進む。
【００４８】
ステップＳ１７０（図３）では、ＤＳＣ１００の画像生成制御部１４２（図１）が、受信した最適パラメータ値情報ＯＶに基づく撮影時パラメータ値情報ＰＶの更新設定を行うか否かをユーザに確認するための表示を表示部１１２（図１）に表示する。例えば、画像生成制御部１４２は、「イベントにおける撮影に適した撮影パラメータ値を受信しました。この値を撮影に使用するパラメータ値として設定しますか？」というメッセージを表示部１１２に表示させる。
【００４９】
ステップＳ１８０（図３）では、ＤＳＣ１００の判定部１４６（図１）が、受信した最適パラメータ値情報ＯＶに基づく撮影時パラメータ値情報ＰＶの更新設定を行う旨のユーザによる指示があったか否かを判定する。ユーザによる更新設定要否の指示は、操作部１１４（図１）を介して行われる。更新設定を行う旨の指示があったと判定された場合には、処理はステップＳ１９０に進む。一方、更新設定を行わない旨の指示があったと判定された場合には、ユーザが受信した最適パラメータ値情報ＯＶを利用する意図を有していないと考えられるため、処理を終了する。この場合には、ＤＳＣ１００により撮影の際に、初期状態の撮影時パラメータ値情報ＰＶによって定義された撮影パラメータ値（標準値）が用いられたり、ユーザがマニュアル設定した撮影パラメータ値が用いられたりすることとなる。
【００５０】
ステップＳ１９０（図３）では、ＤＳＣ１００の撮影パラメータ設定部１４４（図１）が、最適パラメータ値情報ＯＶに基づく撮影時パラメータ値情報ＰＶ（図１）の更新設定を実行する。具体的には、撮影パラメータ設定部１４４は、撮影時パラメータ値情報ＰＶに含まれる各撮影パラメータについてのパラメータ値を、最適パラメータ値情報ＯＶに示されたパラメータ値に置き換える。これにより、ＤＳＣ１００が撮影に用いる各種撮影パラメータの値が、撮影情報提供装置２００によってイベントにおける撮影に最適な撮影パラメータ値として提供された値に設定されることとなる。そのため、この状態でＤＳＣ１００による撮影を行うことにより、好ましい画像の生成が可能となる。図４（ｃ）には、撮影時パラメータ値情報ＰＶが最適なパラメータ値を示すように更新設定されたＤＳＣ１００により撮影が行われている様子を示している。ステップＳ１９０の後、処理はステップＳ１１０に戻る。
【００５１】
次に、イベントが終了した後の処理について説明する。イベント終了後は以下に説明する処理によって、イベント中の撮影に適した内容に設定されている撮影時パラメータ値情報ＰＶ（図１）が初期状態に設定し直される。
【００５２】
上述したように、撮影情報提供装置２００の通信制御部２４８（図１）は、イベントの終了から所定の時間が経過するまでの期間に解除信号ＣＳを送信し続ける（図３のステップＳ１１０）。また、ＤＳＣ１００の通信制御部１４８（図１）は、所定時間経過毎に繰り返し受信処理を行う（同ステップＳ１２０）。そのため、イベントが終了した後の受信処理では、提供情報として解除信号ＣＳが受信されることとなる。図４（ｄ）には、撮影情報提供装置２００により送信された解除信号ＣＳが、ＤＳＣ１００により受信された様子を示している。このとき、ステップＳ１４０（図３）の判定において、受信された提供情報が解除信号ＣＳであると判定され、処理はステップＳ２００に進むこととなる。
【００５３】
ステップＳ２００（図３）では、ＤＳＣ１００の撮影パラメータ設定部１４４（図１）が、撮影時パラメータ値情報ＰＶ（図１）に示されたパラメータ値が標準値となるように、撮影時パラメータ値情報ＰＶの更新設定を行う。これにより、イベント中の撮影に適した内容に設定されている撮影時パラメータ値情報ＰＶが初期状態に設定し直される。
【００５４】
また、イベントが終了する前にＤＳＣ１００による撮影が中止され、ＤＳＣ１００がイベント会場（正確には提供情報送信範囲）の外に移動した場合にも、以下に説明する処理によって、イベント中の撮影に適した内容に設定されている撮影時パラメータ値情報ＰＶ（図１）が初期状態に設定し直される。図４（ｅ）には、ＤＳＣ１００が提供情報送信範囲の外に移動した様子を示している。
【００５５】
イベントが終了する前にＤＳＣ１００が提供情報送信範囲の外に移動した場合には、撮影情報提供装置２００から送信された提供情報（最適パラメータ値情報ＯＶ）はＤＳＣ１００により受信されない。そのため、受信判定（図３のステップＳ１３０）において提供情報が受信されなかったと判定される。このとき、処理はステップＳ２００に進み、上述したととおり、ＤＳＣ１００の撮影パラメータ設定部１４４（図１）によって、撮影時パラメータ値情報ＰＶ（図１）に示されたパラメータ値が標準値となるように、撮影時パラメータ値情報ＰＶの更新設定が行われる。これにより、イベント中の撮影に適した内容に設定されている撮影時パラメータ値情報ＰＶが初期状態に設定し直される。
【００５６】
以上説明したように、本実施例の撮影パラメータ設定システム１０（図１）における撮影パラメータ値設定処理では、撮影情報提供装置２００により、イベントにおける撮影に用いるのに適した撮影パラメータ値を示した最適パラメータ値情報ＯＶが撮影情報として送信される。最適パラメータ値情報ＯＶを受信したＤＳＣ１００では、最適パラメータ値情報ＯＶに基づいて、撮影に用いる撮影パラメータ値を示す撮影時パラメータ値情報ＰＶが更新設定される。そのため、本実施例の撮影パラメータ設定システム１０では、ＤＳＣ１００において、撮影に用いる撮影パラメータ値を、より容易に、かつ、より適切に、設定することができる。本実施例の撮影パラメータ設定システム１０における撮影パラメータ値設定処理は、例えば、撮影教室にも利用でき、さらに、イベント限定の特殊撮影やアーティスティックな表現を利用した撮影にも適用可能である。
【００５７】
また、本実施例の撮影パラメータ設定システム１０における撮影パラメータ値設定処理では、撮影情報提供装置２００による最適パラメータ値情報ＯＶの送信は、イベントの開始から終了までの期間のみにおいて、イベント中に撮影を行うＤＳＣ１００が位置することが想定される地理的範囲である提供情報送信範囲内のみに到達するように実行される。そのため、イベント中の撮影に用いられるＤＳＣ１００のみにおいて、最適パラメータ値情報ＯＶに基づく撮影時パラメータ値情報ＰＶの更新設定が行われ、イベント中の撮影に用いられない撮影装置において同様の更新設定が行われることが無い。
【００５８】
また、本実施例の撮影パラメータ設定システム１０における撮影パラメータ値設定処理では、イベントの終了やイベント会場からの離脱等によってイベントにおける撮影が行われなくなった場合には、ＤＳＣ１００における最適パラメータ値情報ＯＶに基づく撮影時パラメータ値情報ＰＶの設定が解除され、撮影時パラメータ値情報ＰＶは初期状態に戻される。そのため、本実施例の撮影パラメータ設定システム１０では、イベントにおける撮影終了後のＤＳＣ１００における撮影パラメータ値の初期化（標準値への変更）を、より容易に、かつ、より確実に、実行することができる。
【００５９】
また、本実施例の撮影パラメータ設定システム１０における撮影パラメータ値設定処理では、撮影情報提供装置２００からＤＳＣ１００に対して、撮影パラメータ値そのものを示した最適パラメータ値情報ＯＶが撮影情報として送信される。そのため、従来のＤＳＣのように、予め設定された複数の典型的な撮影状況（シーン）の内の１つを選択することにより撮影パラメータ値を設定する場合と比較して、イベントにおける撮影により適した
撮影パラメータ値を設定することが可能となる。
【００６０】
Ｂ．第２実施例：
図５は、第２実施例の撮影パラメータ設定システム１０ａの構成を概略的に示す説明図である。第２実施例の撮影パラメータ設定システム１０ａは、第１実施例の撮影パラメータ設定システム１０（図１）と同様に、ＤＳＣ１００ａと撮影情報提供装置２００ａとを備えている。
【００６１】
第２実施例の撮影パラメータ設定システム１０ａ（図５）は、撮影情報提供装置２００ａが受信部２２２を含んでいる点と、撮影情報提供装置２００ａの内部メモリ２４０に、第１実施例における最適パラメータ値情報ＯＶ（図１）の代わりに撮影情報特定部２４２が格納されているという点とにおいて、第１実施例の撮影パラメータ設定システム１０とは異なっている。
【００６２】
撮影情報提供装置２００ａの受信部２２２（図５）は、通信制御部２４８の制御の下、ＤＳＣ１００ａから送信された情報（信号）を受信する装置である。なお、通信制御部２４８、ＣＰＵ２２０および受信部２２２は、本発明における撮影機会情報受信部に相当する。
【００６３】
内部メモリ２４０に格納された撮影情報特定部２４２（図５）は、後述の位置・時間情報ＰＴＩに基づき、ＤＳＣ１００ａに対して送信すべき撮影情報を特定するためのコンピュータプログラムである。ＣＰＵ２２０は、内部メモリ２４０から、撮影情報特定部２４２を読み出して実行することにより、撮影情報の特定を実現する。
【００６４】
撮影情報特定部２４２（図５）は、イベント情報ＥＩを含んでいる。図６は、イベント情報ＥＩの内容の一例を示す説明図である。イベント情報ＥＩは、イベントを特定するための情報である。本実施例のイベント情報ＥＩにおいては、時間（時間的範囲）および場所（地理的範囲）によりイベントが特定されている。また、イベント情報ＥＩにより、イベントとシーンとが対応付けられている。ここで、シーンとは、予め設定された撮影状況の分類を意味している。シーンの例としては、人物を撮影する撮影状況である「ポートレート」、風景を撮影する撮影状況である「風景」、夕陽を撮影する撮影状況である「夕景」、紅葉を撮影する撮影状況である「紅葉」等が挙げられる。図６の例では、「紅葉まつり」というイベントに対してシーン「紅葉」が対応付けられている。
【００６５】
第２実施例の撮影パラメータ設定システム１０ａ（図５）は、また、ＤＳＣ１００ａがＧＰＳユニット１１６と、タイマ１１８と、送信部１２４と、を含んでいる点において、第１実施例の撮影パラメータ設定システム１０（図１）とは異なっている。ＧＰＳユニット１１６は、ＧＰＳシステムを利用してＤＳＣ１００ａの現在位置情報（例えば緯度および経度を特定する情報）を取得する装置である。タイマ１１８は、現在の年月日および時刻を特定する時間情報を出力する装置である。送信部１２４は、通信制御部１４８の制御の下、撮影情報提供装置２００ａに対して情報（信号）を送信する装置である。なお、ＧＰＳユニット１１６は、本発明における位置情報取得部に相当する。また、タイマ１１８は、本発明における時間情報取得部に相当する。また、通信制御部１４８、ＣＰＵ１２０および送信部１２４は、本発明における撮影機会情報送信部に相当する。
【００６６】
さらに、第２実施例の撮影パラメータ設定システム１０ａは、ＤＳＣ１００ａの撮影パラメータ設定部１４４が対応情報ＣＩを含んでいる点も、第１実施例の撮影パラメータ設定システム１０とは異なっている。図７は、対応情報ＣＩの内容の一例を示す説明図である。対応情報ＣＩは、シーンと撮影パラメータ値との対応付けを示す情報である。すなわち、図７に示すように、対応情報ＣＩには、予め設定された複数のシーンのそれぞれについて、そのシーンにおける撮影に適した各撮影パラメータの値が定められている。
【００６７】
図８は、第２実施例の撮影パラメータ設定システム１０ａにおける撮影パラメータ値設定処理の流れを示すフローチャートである。また、図９は、第２実施例の撮影パラメータ設定システム１０ａにおける撮影パラメータ値設定処理の概要を示す説明図である。第２実施例の撮影パラメータ設定システム１０ａ（図５）における撮影パラメータ値設定処理は、第１実施例の撮影パラメータ値設定処理と同様に、ＤＳＣ１００ａにおいて最適な撮影パラメータの値を設定する処理である。なお、図９に示すように、第２実施例の撮影パラメータ値設定処理では、撮影情報提供装置２００ａがイベント会場以外の場所に配置されている。
【００６８】
ステップＳ３０２（図８）では、ＤＳＣ１００ａの画像生成制御部１４２（図５）が、位置・時間情報ＰＴＩを取得する。位置・時間情報ＰＴＩは、ＤＳＣ１００ａの現在位置と現在時刻とを示す情報である。本実施例では、画像生成制御部１４２による位置・時間情報ＰＴＩ取得処理は、ユーザの指示または電源ＯＮ操作に応じて、撮影が行われる場所（イベント会場内）において実行される。具体的には、画像生成制御部１４２は、ＧＰＳユニット１１６（図５）からＤＳＣ１００ａの現在位置を表す位置情報を取得すると共に、タイマ１１８から現在時刻を表す時間情報を取得することにより、位置・時間情報ＰＴＩを取得する。
【００６９】
ステップＳ３０４（図８）では、ＤＳＣ１００ａの通信制御部１４８（図５）が、送信部１２４を制御して、位置・時間情報ＰＴＩを撮影情報提供装置２００ａに対して送信する。送信された位置・時間情報ＰＴＩは、受信部２２２（図５）を介して撮影情報提供装置２００ａに受領される。図９（ａ）には、ＤＳＣ１００ａから撮影情報提供装置２００ａに対して、位置・時間情報ＰＴＩが送信されている様子を示している。
【００７０】
ステップＳ３０６（図８）では、撮影情報提供装置２００ａの撮影情報特定部２４２（図５）が、受信した位置・時間情報ＰＴＩに基づき、ＤＳＣ１００ａに送信すべき撮影情報を特定する。本実施例では、撮影情報として、シーンを示すシーン情報ＳＩ（後述）が用いられる。そのため、撮影情報特定部２４２は、イベント情報ＥＩ（図６）を参照して、位置・時間情報ＰＴＩの示す位置および時間に対応付けられたイベントを特定すると共に、特定されたイベントに対応付けられたシーンを特定する。
【００７１】
ステップＳ３１０（図８）では、撮影情報提供装置２００ａの通信制御部２４８（図５）が、送信部２２４を制御して、ＤＳＣ１００ａに対してシーン情報ＳＩを送信する。図１０は、シーン情報ＳＩの内容の一例を示す説明図である。図１０に示すように、シーン情報ＳＩには、シーン（図１０の例では「紅葉」）を示す情報が含まれている。シーン情報ＳＩは、ステップＳ３０６におけるシーンの特定結果に基づき生成される。さらに、本実施例では、シーン情報ＳＩに、イベントの終了時間を示す終了時間情報が含まれている。シーン情報ＳＩに含まれる終了時間情報は、後述の終了時間判定（図８のステップＳ３９２）の際に利用される。送信されたシーン情報ＳＩは、受信部１２２（図５）を介してＤＳＣ１００ａに受領される。図９（ｂ）には、撮影情報提供装置２００ａからＤＳＣ１００ａに対してシーン情報ＳＩが送信されている様子を示している。
【００７２】
なお、ステップＳ３０４において撮影情報提供装置２００ａによる位置・時間情報ＰＴＩの受信が成功しなかった場合や、ステップＳ３１０においてＤＳＣ１００ａによるシーン情報ＳＩの受信が成功しなかった場合には、撮影パラメータ値設定処理が終了される。ユーザが望む場合には、再度、最初から撮影パラメータ値設定処理が開始される。
【００７３】
ステップＳ３３２（図８）では、ＤＳＣ１００ａの撮影パラメータ設定部１４４（図５）が、シーン情報ＳＩ（図１０）に基づき撮影パラメータ値を特定する。具体的には、撮影パラメータ設定部１４４は、シーン情報ＳＩに基づきシーンを特定すると共に、対応情報ＣＩ（図７）に基づき当該シーンに対応付けられた撮影パラメータ値を特定する。
【００７４】
ステップＳ３５０（図８）では、ＤＳＣ１００ａの判定部１４６（図５）が、ステップＳ３３２において特定された撮影パラメータ値が、現在、撮影に用いるものとして設定されているパラメータ値（すなわち撮影時パラメータ値情報ＰＶ（図５）に示されたパラメータ値）と同じか否かを判定する。同じではないと判定された場合には、処理はステップＳ３９０（撮影パラメータ値の設定）に進む。一方、同じであると判定された場合には、撮影パラメータ値の更新設定を行う必要が無いため、ステップＳ３９０の処理がスキップされる。
【００７５】
ステップＳ３９０（図８）では、ＤＳＣ１００ａの撮影パラメータ設定部１４４（図５）が、撮影時パラメータ値情報ＰＶに含まれる各撮影パラメータについてのパラメータ値を、ステップＳ３３２において特定した撮影パラメータ値に置き換えることによって、撮影時パラメータ値情報ＰＶの更新設定を行う。これにより、ＤＳＣ１００ａが撮影に用いる各種撮影パラメータの値が、イベントにおける撮影に適した撮影パラメータ値に設定されることとなる。そのため、この状態でＤＳＣ１００ａによる撮影を行うことにより、好ましい画像の生成が可能となる。図９（ｃ）には、撮影時パラメータ値情報ＰＶが最適なパラメータ値を示すように更新設定されたＤＳＣ１００ａにより撮影が行われている様子を示している。
【００７６】
ステップＳ３９２（図８）では、ＤＳＣ１００ａの判定部１４６（図５）が、終了時間判定を行う。終了時間判定は、イベントの終了時刻が過ぎたか否かを判定する処理である。本実施例では、上述したように、撮影情報提供装置２００ａにより送信されたシーン情報ＳＩ（図１０）にイベントの終了時刻を示す終了時間情報が含まれている。そのため、ＤＳＣ１００ａは、シーン情報ＳＩを受信することによって、イベントの終了時刻を取得することができる。ＤＳＣ１００ａの判定部１４６による終了時間判定は、イベントの終了時刻とタイマ１１８（図５）から出力される現在時刻とを比較することにより実行される。終了時間判定は、イベントの終了時刻が過ぎたと判定されるまで、所定時間経過毎に繰り返し実行される。なお、終了時間判定が、ＤＳＣ１００ａの電源ＯＮ操作時や電源ＯＦＦ操作時にも実行されるとしてもよい。終了時間判定においてイベントの終了時刻が過ぎたと判定された場合には、処理はステップＳ４００に進む。
【００７７】
ステップＳ４００（図８）では、ＤＳＣ１００ａの撮影パラメータ設定部１４４（図５）が、撮影時パラメータ値情報ＰＶに示されたパラメータ値が標準値となるように、撮影時パラメータ値情報ＰＶの更新設定を行う。これにより、イベント中の撮影に適した内容に設定されていた撮影時パラメータ値情報ＰＶが、初期状態に設定し直される。図９（ｄ）には、ＤＳＣ１００ａの撮影時パラメータ値情報ＰＶが標準の状態に更新された様子を示している。
【００７８】
以上説明したように、第２実施例の撮影パラメータ設定システム１０ａ（図５）における撮影パラメータ値設定処理では、撮影情報提供装置２００ａからＤＳＣ１００ａに対して、ＤＳＣ１００ａによる撮影が行われるイベントに対応付けられたシーンを特定するシーン情報ＳＩが撮影情報として送信される。シーン情報ＳＩを受信したＤＳＣ１００ａでは、撮影に用いる撮影パラメータ値がシーン情報ＳＩにより特定されるシーンにおける撮影に最適な値となるように、撮影時パラメータ値情報ＰＶの更新設定が行われる。そのため、第２実施例の撮影パラメータ設定システム１０ａでは、ＤＳＣ１００ａにおいて、撮影に用いる撮影パラメータ値を、より容易に、かつ、より適切に、設定することができる。
【００７９】
また、第２実施例の撮影パラメータ設定システム１０ａにおける撮影パラメータ値設定処理では、ＤＳＣ１００ａから撮影情報提供装置２００ａに対して、ＤＳＣ１００ａの現在位置と現在時刻とを特定する位置・時間情報ＰＴＩが、イベントを特定するための情報として送信される。撮影情報提供装置２００ａでは、位置・時間情報ＰＴＩに基づき、ＤＳＣ１００ａによる撮影が行われるイベントが特定されると共に、イベントに対応付けられたシーンが特定される。そのため、第２実施例の撮影パラメータ設定システム１０ａでは、撮影情報提供装置２００ａをＤＳＣ１００ａによる撮影が行われるイベント会場に設置する必要が無い。すなわち、撮影情報提供装置２００ａの配置を、イベントの地理的範囲とは独立して設定することが可能である。また、１つの撮影情報提供装置２００ａを、複数のイベントにおける撮影パラメータ値設定処理のために共通に利用することができる。
【００８０】
また、第２実施例の撮影パラメータ設定システム１０ａにおける撮影パラメータ値設定処理では、撮影情報提供装置２００ａからＤＳＣ１００ａに対して、シーンを特定するシーン情報ＳＩが送信される。そのため、第１実施例における最適パラメータ値情報ＯＶのように撮影パラメータ値そのものが送信される場合と比較して、撮影情報提供装置２００ａとＤＳＣ１００ａとの間で通信される情報量を低減することができ、通信負荷の低減や処理の高速化を図ることができる。
【００８１】
また、第２実施例の撮影パラメータ設定システム１０ａにおける撮影パラメータ値設定処理では、撮影情報提供装置２００ａからＤＳＣ１００ａに対して送信されるシーン情報ＳＩに、イベントの終了時刻を示す終了時間情報が含まれている。そのため、ＤＳＣ１００ａは、イベントが終了した際に、撮影時パラメータ値情報ＰＶを初期状態に戻すことができる。従って、第２実施例の撮影パラメータ設定システム１０ａでは、イベントにおける撮影終了後のＤＳＣ１００ａにおける撮影パラメータ値の初期化（標準値への変更）を、より容易に、かつ、より確実に、実行することができる。
【００８２】
なお、第２実施例の撮影パラメータ設定システム１０ａにおける撮影パラメータ値設定処理では、撮影情報提供装置２００ａからＤＳＣ１００ａに対して、シーンを特定するシーン情報ＳＩが送信される。シーン情報ＳＩを受信したＤＳＣ１００ａでは、撮影により生成された画像ファイルに、シーン情報ＳＩにより特定されるシーンを識別可能な情報を付加することも可能である。このようにすれば、撮影後における画像の検索等に、画像ファイルに付加されたシーンを識別可能な情報を利用することができる。
【００８３】
Ｃ．変形例：
なお、この発明は上記の実施例や実施形態に限られるものではなく、その要旨を逸脱しない範囲において種々の態様において実施することが可能であり、例えば次のような変形も可能である。
【００８４】
Ｃ１．変形例１：
上記各実施例において、撮影時パラメータ値情報ＰＶおよび最適パラメータ値情報ＯＶに含まれる撮影パラメータの項目はあくまで一例であり、撮影時パラメータ値情報ＰＶおよび最適パラメータ値情報ＯＶに他のパラメータ項目が含まれていてもよく、反対に、一部のパラメータ項目が含まれていなくてもよい。撮影時パラメータ値情報ＰＶおよび最適パラメータ値情報ＯＶには、撮影パラメータの項目として、シャッタースピード、絞り、露出、ＩＳＯ感度、測光、ＷＢ（ホワイトバランス）、記憶色補正、フラッシュＯＮ／ＯＦＦ、シャープネス、彩度、コントラスト、焦点距離、逆光補正、トーンカーブ、ノイズ除去、カラーバランス、赤目軽減、セピア等の特殊処理の内の少なくとも１つが含まれていればよい。また、撮影時パラメータ値情報ＰＶおよび最適パラメータ値情報ＯＶのそれぞれに含まれる撮影パラメータの項目は、必ずしも一致している必要はない。両者に含まれる撮影パラメータの項目が一致していない場合には、両者に共通して含まれる撮影パラメータの項目についてのみ、撮影パラメータ値の更新設定が行われるとしてもよい。
【００８５】
また、上記各実施例において設定されたシーンの種類はあくまで一例であり、他のシーンの種類が設定されてもよい。例えば、シーンの種類として、夜景、マクロ、スポーツ、花、植物、パーティ、室内、記念写真、赤ちゃん、食べ物、滝、水の流れ、水しぶき止め、新緑、花火、コンサート、トワイライト、雪景色、海岸、水中、ガラス越し、逆光等が設定されてもよい。また、例えばシーンとしてのスポーツは、さらに種目（サッカー、体操等）によって細分化されていてもよいし、シーンとしての花や植物は、さらに種類（ひまわり、桜等）によって細分化されていてもよい。
【００８６】
Ｃ２．変形例２：
上記各実施例において、撮影パラメータ値設定処理の内容は、あくまで一例であり、撮影パラメータ値設定処理の内容の一部を変形してもよい。例えば、第１実施例の撮影パラメータ値設定処理では、撮影情報提供装置２００から送信される撮影情報は最適パラメータ値情報ＯＶであるとしているが（図４（ａ）参照）、第２実施例と同様に、撮影情報提供装置２００から送信される撮影情報がシーン情報ＳＩ（図９（ｂ）参照）であるとしてもよい。この場合には、第２実施例と同様に、ＤＳＣ１００において、シーンから撮影パラメータ値への変換が行われる。反対に、第２実施例の撮影パラメータ値設定処理において、撮影情報提供装置２００ａから送信される撮影情報が最適パラメータ値情報ＯＶであるとしてもよい。
【００８７】
また、第１実施例の撮影パラメータ値設定処理では、撮影時パラメータ値情報ＰＶの初期状態への更新設定を解除信号ＣＳ等により実現しているが（図４（ｄ）および図４（ｅ）参照）、第２実施例と同様に、終了時間判定（図８のステップＳ３９２）によって撮影時パラメータ値情報ＰＶの初期状態への更新設定を実現するとしてもよい。反対に、第２実施例の撮影パラメータ値設定処理において、解除信号ＣＳ等を用いて撮影時パラメータ値情報ＰＶの初期状態への更新設定を実現するとしてもよい。他にも、撮影情報を受信した後、再度撮影情報を受信することなく所定時間経過した場合には、撮影時パラメータ値情報ＰＶの初期状態への更新設定を実行するとしてもよい。
【００８８】
また、第１実施例の撮影パラメータ値設定処理では、ＤＳＣ１００が自動設定モードの状態となっているか否かの判定を行っているが（図３のステップＳ１６０）、この判定は必ずしも行う必要はない。また、第２実施例の撮影パラメータ値設定処理において、第１実施例と同様に自動設定モードの判定を行うとしてもよい。
【００８９】
また、上記各実施例の撮影パラメータ値設定処理では、イベントにおける撮影が終了した後には、撮影時パラメータ値情報ＰＶの標準値への更新設定が行われるとしているが、撮影情報に基づく撮影時パラメータ値情報ＰＶの設定を行う前に設定されていた状態に戻るように、撮影時パラメータ値情報ＰＶの更新設定が行われるとしてもよい。
【００９０】
Ｃ３．変形例３：
上記第２実施例では、ＤＳＣ１００ａから撮影情報提供装置２００ａに対するイベントを特定する情報としての位置・時間情報ＰＴＩの送信は、ＤＳＣ１００ａによる撮影を行う際に（すなわち、撮影直前にイベント会場内において）行われるとしているが、位置・時間情報ＰＴＩの送信は、事前に他の場所において行われるとしてもよい。この場合にも、位置・時間情報ＰＴＩによりイベントの時間および場所が特定されればよい。すなわち、撮影情報提供装置２００ａによる撮影情報の送信が行われる時間は、イベントの時間的範囲とは独立して設定することが可能である。また、イベントを特定する情報は、位置・時間情報ＰＴＩに限らず、撮影情報提供装置２００ａがイベントを特定することができれば、識別コードのような他の情報であってもよい。例えば、ＤＳＣ１００ａが２次元バーコードを撮影することによりイベントの識別コードを取得し、当該識別コードを撮影情報提供装置２００ａに送信するとしてもよい。
【００９１】
Ｃ４．変形例４：
上記各実施例において、ＤＳＣ１００と撮影情報提供装置２００との間の情報通信は、有線通信や無線通信、ネットワークを利用した通信等、任意の通信方法を用いて実行可能である。
【００９２】
Ｃ５．変形例５：
上記各実施例における撮影パラメータ設定システム１０の構成はあくまで一例であり、撮影パラメータ設定システム１０の構成を他の構成とすることも可能である。また、第１実施例の撮影パラメータ設定システム１０では、撮影情報提供装置２００がイベント会場内に配置されているとしているが（図４（ａ）参照）、撮影情報提供装置２００は撮影情報を提供情報送信範囲に送信できるように配置されていればよく、例えば撮影情報提供装置２００の送信部２２４（図１）のみがイベント会場内に配置され、残りの部分はイベント会場の外に配置されるとしてもよい。また、第２実施例の撮影パラメータ設定システム１０ａでは、撮影情報提供装置２００ａがイベント会場の外に配置されているが（図９（ａ）参照）、撮影情報提供装置２００ａがイベント会場内に配置されるとしてもよい。また、上記各実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【００９３】
【図１】本発明の第１実施例としての撮影パラメータ設定システム１０の構成を概略的に示す説明図である。
【図２】最適パラメータ値情報ＯＶの内容の一例を示す説明図である。
【図３】第１実施例の撮影パラメータ設定システム１０における撮影パラメータ値設定処理の流れを示すフローチャートである。
【図４】第１実施例の撮影パラメータ設定システム１０における撮影パラメータ値設定処理の概要を示す説明図である。
【図５】第２実施例の撮影パラメータ設定システム１０ａの構成を概略的に示す説明図である。
【図６】イベント情報ＥＩの内容の一例を示す説明図である。
【図７】対応情報ＣＩの内容の一例を示す説明図である。
【図８】第２実施例の撮影パラメータ設定システム１０ａにおける撮影パラメータ値設定処理の流れを示すフローチャートである。
【図９】第２実施例の撮影パラメータ設定システム１０ａにおける撮影パラメータ値設定処理の概要を示す説明図である。
【図１０】シーン情報ＳＩの内容の一例を示す説明図である。
【符号の説明】
【００９４】
１０…撮影パラメータ設定システム
１００…ＤＳＣ
１０２…レンズ
１０４…レンズ駆動部
１０６…レンズ駆動制御部
１０８…撮像素子
１１０…Ａ／Ｄ変換器
１１２…表示部
１１４…操作部
１１６…ＧＰＳユニット
１１８…タイマ
１２０…ＣＰＵ
１２２…受信部
１２４…送信部
１３０…バス
１４０…内部メモリ
１４２…画像生成制御部
１４４…撮影パラメータ設定部
１４６…判定部
１４８…通信制御部
２００…撮影情報提供装置
２２０…ＣＰＵ
２２２…受信部
２２４…送信部
２３０…バス
２４０…内部メモリ
２４２…撮影情報特定部
２４８…通信制御部
【図１】
0004609338.tif 000002
【図２】
0004609338.tif 000003
【図３】
0004609338.tif 000004
【図４】
0004609338.tif 000005
【図５】
0004609338.tif 000006
【図６】
0004609338.tif 000007
【図７】
0004609338.tif 000008
【図８】
0004609338.tif 000009
【図９】
0004609338.tif 000010
【図１０】
0004609338.tif 000011